Podtech/llm-jp-corpus-v4-ja_patent huggingface dataset:
(57)【要約】      （修正有）【課題】お金を支払う際に、財布の中で小銭が入り混じって取り出しに手間取り、会計の流れを悪くし、ディーラーサイドにとってもユーザーに於いても大変効率の悪いものになっている事から、小銭を最大限に活用する為に貨幣を迅速に取り出すようにした事に依り、会計の流れの効率化を図る事が実現できる。【解決手段】複数の種類の貨幣を隙間を隔てて縦に配列し、各貨幣の頂点のレベルが凹凸のないように一線にし、且つ貨幣の中心が一直線に揃うように溝を設け、更に貨幣をランダムに取り出しても倒れなくなっていて、取り出し易い溝の深さを成型することに依り、複数の種類の貨幣、何百・何拾・何円が迅速に取り出すことが出来るようになり、支払い効率が促進され、会計の流れを良くする。【選択図】図１
0003130156.tif 000002
【実用新案登録請求の範囲】
【請求項１】
コインホルダーに於いて、複数の種類の貨幣を隙間を隔てて縦に配列し、各貨幣の頂点のレベルが凹凸のないように一線にし、且つ貨幣の中心が一直線に揃うように溝を設け、更に貨幣をランダムに何枚取り出しても倒れなくなっていて、取り出し易い溝の深さを成型することに依り、複数の種類の貨幣が迅速に取り出すことが出来るようにしたコインホルダー。
【請求項２】
請求項１に記載のコインホルダーに透明の貨幣保護カバーを付設することに依り、カバーの開閉に関係なく貨幣の有無が一目瞭然で確認でき、残金が一目で判るコインホルダー。
【考案の詳細な説明】
【技術分野】
【０００１】
本考案は、お金の支払い時に小銭を最大限に活用し、会計の流れの効率化を図ることに関する。
【背景技術】
【０００２】
従来のコインホルダーは、貨幣を体裁よく整理し、保管するものが多く見受けられ、携帯用コインホルダーにあっては、複数の種類の貨幣を迅速に取り出し難いものが主流で有る。
【特許文献１】特開２００６−０３４９２７号公報
【考案の開示】
【考案が解決しようとする課題】
【０００３】
駅の自動券売機・スーパーマーケット・コンビニ・ファーストフード店・病院等で、お金の支払いをする際、財布の中で小銭が入り混じって取り出しに手間取り会計の流れを悪くし、レジ係や後続人に迷惑を掛けていることが多く見受けられ、ディーラーサイドにとってもユーザーにおいても大変効率の悪いものになっている事から、小銭を最大限に活用する為に、貨幣を迅速に取り出すようにした事に依り、会計の流れの効率化を実現できる。
【課題を解決するための手段】
【０００４】
コインホルダーに於いて、複数の貨幣を隙間を隔てて縦に配列し、各貨幣の頂点のレベルが図１・図２・図３・図６、図７・図10、に示すように凹凸のないよう一線にし、且つ貨幣の中心が図４、に示すように一直線に揃うように溝を設け、更に貨幣をランダムに何枚取り出しても倒れなくなっていて、取り出し易い溝の深さ図５、１a・２a・３a・４a・５a・６a、を成型することに依り、複数の種類の貨幣が迅速に取り出すことが出来るようになり、支払い効率が促進され、会計の流れを良くする為のコインホルダーである。
【０００５】
コインホルダーに於いて、透明の貨幣保護カバーを付設することに依り、カバーの開閉に関係なく貨幣の有無が一目瞭然で確認でき、残金が一目で判る特徴を有する。
【考案の効果】
【０００６】
貨幣の配列方法には数例あるが、例を挙げると図１・図２・図10、に示すように500円×1枚・100円×4枚・50円×1枚・10円×4枚・5円×1枚・1円×5枚、の計１，000円を予めコインホルダーにセットしておき、使用直前に図１・図２・図10、に示すように保護カバーをガイドレール（７）に添って(11)従いスライドさせ開状態にし図10に示すように貨幣の上部を指で回転させるように、前に押し出すか、又は手前に引くことで何百・何拾・何円の貨幣を迅速、且つ正確に取り出すことができ、支払い効率を高める効果を有する。
【０００７】
図面に例記の他に、色々なバリエーションに富んだ配列方法が有り、例500円×5枚・100×10枚・50円×5枚・10円×10枚等、車内用・旅行用・貯金用等、それぞれの用途に応じて複数のコインホルダーを併用し使い分けができ大変便利で有る。
【産業上の利用可能性】
【０００８】
図１・図２のように携帯ストラップを取り付けることに依り一段と利便性が高くなり、又構造がシンプルなことから若年層から年配者に至るまで気軽に使用でき、有効に活用することに依りディラー及びユーザーの双方に於いて、支払い時の会計に掛る時間が短縮することが出来、幅広い利用が期待できる。
【図面の簡単な説明】
【０００９】
【図１】第1実施例  携帯用コインホルダーの保護カバー開状態を示す。
【図２】第2実施例  携帯用コインホルダーの保護カバー閉状態を示す。
【図３】500円側から見た断面図。
【図４】本体分解平面図。
【図５】本体分解正面図。
【図６】貨幣をセットした状態の正面図。
【図７】貨幣をセットした状態の斜視図。
【図８】保護カバー底面斜視図。
【図９】保護カバー断面図。
【図１０】第3実施例  背面図。
【符号の説明】
【００１０】
１  500円貨幣
２  100円貨幣
３  50円貨幣
４  10円貨幣
５  5円貨幣
６  1円貨幣
７  保護カバー用ガイドレール
８  保護カバーストッパー
９  携帯ストラップ用フック金具
１０  携帯ストラップ  
１１  保護カバー開方向
１２  保護カバー閉方向
１３  保護カバー抜け落ち防止突起部
１a  500円貨幣用に成型した溝
２a  100円貨幣用に成型した溝
３a  50円貨幣用に成型した溝
４a  10円貨幣用に成型した溝
５a  ５円貨幣用に成型した溝
６a  １円貨幣用に成型した溝
【図１】
0003130156.tif 000003
【図２】
0003130156.tif 000004
【図３】
0003130156.tif 000005
【図４】
0003130156.tif 000006
【図５】
0003130156.tif 000007
【図６】
0003130156.tif 000008
【図７】
0003130156.tif 000009
【図８】
0003130156.tif 000010
【図９】
0003130156.tif 000011
【図１０】
0003130156.tif 000012
(57)【要約】【課題】スタンチョンに寝込んだ家畜を、回動可能な柵棒を取り外すことなく、スタンチョンから解放できるスタンチョンの提供【解決手段】この考案のスタンチョンは、くの字状の柵棒１の屈曲部ａに回動可能に取り付け、常時、自重によって前記くの字状の柵棒１の上辺ｂ側に倒れ傾斜し、下部に家畜が首部を押し当てると、直立する柵棒２と直立した該柵棒２に間隔をおいて対峙する直立柵棒３を設け、該直立柵棒３に、コの字状の補助柵棒４を回動可能に取り付けている。 【選択図】 図１
0003130199.tif 000002
【実用新案登録請求の範囲】
【請求項１】
くの字状の柵棒（１）の屈曲部（ａ）に回動可能に取り付け、常時、自重によって前記くの字状の柵棒（１）の上辺（ｂ）側に倒れ傾斜し、下部に家畜が首部を押し当てると、直立する柵棒（２）と直立した該柵棒（２）に間隔をおいて対峙する直立柵棒（３）を設け、該直立柵棒（３）に、コの字状の補助柵棒（４）を回動可能に取り付けたことを特徴とするスタンチョン
【考案の詳細な説明】
【技術分野】
【０００１】
本考案はスタンチョンに関するものである。
【背景技術】
【０００２】
この考案は出願人が発明し、すでに特許（特許第３５４８１７４号）を取得しているスタンチョンの改良に係るものである。家畜が餌を食べながら、スタンチョンに首部を突っ込んだまま寝込んだときに、前記特許は、回動可能な柵棒を取り外し隙間を広くしなければならないという問題点があった。
【０００３】
【特許文献１】特許第３５４８１７４号公報
【考案の開示】
【考案が解決しようとする課題】
【０００４】
この考案は、背景技術で記述した問題点を解消するためになされたもので、スタンチョンに寝込んだ家畜を、回動可能な柵棒を取り外すことなく、スタンチョンから解放できるスタンチョンの提供を目的とするものである。
【課題を解決するための手段】
【０００５】
この考案のスタンチョンは、くの字状の柵棒（１）の屈曲部（ａ）に回動可能に取り付け、常時、自重によって前記くの字状の柵棒（１）の上辺（ｂ）側に倒れ傾斜し、下部に家畜が首部を押し当てると、直立する柵棒（２）と直立した該柵棒（２）に間隔をおいて対峙する直立柵棒（３）を設け、該直立柵棒（３）に、コの字状の補助柵棒（４）を回動可能に取り付けたことを特徴とするものである。
【考案の効果】
【０００６】
この考案は上述のように構成されているので、次のような効果を呈する。
回動可能に取り付けたコの字状の補助柵棒（４）を、直立した柵棒（２）と対峙しない位置、例えば、真後ろ等に回動させ、離隔間隔を広げ、スタンチョンに寝込んだ家畜をスタンチョンから解放させることができる。
【考案を実施するための最良の形態】
【０００７】
スタンチョンに寝込んだ家畜を、回動可能な柵棒を取り外すことなく、スタンチョンから解放できるスタンチョンの提供という目的を、直立柵棒に、コの字状の補助柵棒を回動可能に取り付けることにより実現できた。
【実施例】
【０００８】
この考案の実施の一例を図面を参照しながら説明する。図１〜図２に示すように、この考案のスタンチョンは、くの字状の柵棒１の屈曲部ａに回動可能に取り付け、常時、自重によって前記くの字状の柵棒１の上辺ｂ側に倒れ傾斜し、下部に家畜が首部を押し当てると、直立する柵棒２と直立した該柵棒２に間隔Ｔをおいて対峙する直立柵棒３を設け、該直立柵棒３に、巾ｔのコの字状の補助柵棒４を回動可能に取り付けている。
【０００９】
なお、図１において、例えば、ｃは直立柵棒３に設けたピン、ｄ、ｄ’は９０度離隔して補助柵棒４の基部に設けた逆Ｕ字状の切り欠きである。
【００１０】
図１では、ピンｃを、切り欠きｄに嵌着し、直立する柵棒２と補助柵棒４の間隔を、約Ｔ−ｔにしており、この状態が正常である。家畜が牛の場合、Ｔ−ｔは、通常、１８５ｍｍ程度になるように設計している。
【００１１】
図２では、図１において、補助柵棒４を持ち上げ、時計方向に９０度回転させ、ピンｃを切り欠きｄ’に嵌着し、直立する柵棒２と直立柵棒３の間隔を約Ｔとした場合である。この状態は、餌を食べた牛が、そのままスタンチョンに寝込んだ場合で、通常、Ｔは３１５ｍｍ程度になるように設計している。
【００１２】
したがって、図２では、牛の首部の左右に十分な隙間ができるので、従来のように回動可能な柵棒を取り外さなくても、スタンチョンから牛を容易に解放させることができる。
【産業上の利用可能性】
【００１３】
構造が簡単で、組み立ても容易であり、小規模な酪農家のスタンチョンとしても利用が可能である。
【図面の簡単な説明】
【００１４】
【図１】考案の一実施例を示す正面図
【図２】図１において、補助柵棒を時計方向に９０度回転させた状態を示す正面図
【符号の説明】
【００１５】
１  くの字状の柵棒
２  常時、自重によってくの字状の柵棒１の上辺ｂ側に倒れ傾斜し、下部に家畜が首部を押し当てると、直立する柵棒
３  直立柵棒
４  コの字状の補助柵棒
ａ   くの字状の柵棒１の屈曲部
ｂ  くの字状の柵棒１の上辺
ｃ  直立柵棒３に設けたピン
ｄ，ｄ’９０度離隔して補助柵棒４の基部に設けた逆Ｕ字状の切り欠き
Ｔ  直立した柵棒２と対峙する直立柵棒３の間隔
ｔ  コの字状の補助柵棒４の巾
【図１】
0003130199.tif 000003
【図２】
0003130199.tif 000004
(57)【要約】【課題】ペットに付いた悪臭やノミ、シラミ、ダニなどの害虫、その他の細菌などを安全かつ確実に除臭・殺虫・殺菌など除去することができるオゾンによるペットのエアーシャワー洗浄装置を提供する。【解決手段】頭部を露出するように犬、猫等のペットを収容する容器と、該容器内に収容したペットが動き回らないように、その姿勢を保持する手段と、上記容器内にオゾンのエアーシャワーを生じさせるオゾン発生器から成る。【選択図】        図１
0003130143.tif 000002
【実用新案登録請求の範囲】
【請求項１】
頭部を露出するように犬、猫等のペットを収容する容器と、該容器内に収容したペットが動き回らないように、その姿勢を保持する手段と、上記容器内にオゾンのエアーシャワーを生じさせるオゾン発生器から成ることを特徴とするオゾンによるペットのエアーシャワー洗浄装置。
【請求項２】
上記容器が、ペット用ハウスであることを特徴とする請求項１に記載のオゾンによるペットのエアーシャワー洗浄装置。
【請求項３】
前記姿勢保持手段が、ハンモックであることを特徴とする請求項１または２に記載のオゾンによるペットの洗浄装置。
【請求項４】
前記ハンモックにペットの脚を通す４個の脚穴が形成されていることを特徴とする請求項３に記載のオゾンによるペットのエアーシャワー洗浄装置。
【請求項５】
前記オゾン発生器にファンが設けられることを特徴とする請求項１、２、３または４に記載のオゾンによるペットのエアーシャワー洗浄装置。
【考案の詳細な説明】
【技術分野】
【０００１】
本考案は、オゾンによるペットのエアーシャワー洗浄装置に関するものである。
【背景技術】
【０００２】
近年、我が国は核家族社会になり、犬や猫などのペットの普及が非常に大きく伸び、特に犬は約五千六百万頭が登録されるに至っている。
そこで、マナーの問題も多く、特に運動と散歩をして帰ると、汗による体臭、ノミ、シラミ、ダニなどの害虫、その他の細菌などを拾って来る。
その結果、臭い、かゆい等の理由でペットが捨てられることも少なくない。
結局、散歩から帰ったときに、洗浄をしてから家の中に入れる必要があり、これが大仕事となっている。
【０００３】
一方、脱臭や殺菌作用があるものとしてオゾン（Ｏ３）が知られており、最近、小型で安価に入手できるオゾン発生器が普及し始めている。
【考案の開示】
【考案が解決しようとする課題】
【０００４】
本考案者は、上記オゾン発生器が上述のペット問題の解決に役立つことに着目し、ペットに付いた悪臭やノミ、シラミ、ダニなどの害虫、その他の細菌などを安全かつ確実に除臭・殺虫・殺菌など除去することができるオゾンによるペットのエアーシャワー洗浄装置を提供するに至った。
【課題を解決するための手段】
【０００５】
本考案のオゾンによるペットのエアーシャワー洗浄装置は、頭部を露出するように犬、猫等のペットを収容する容器と、該容器内に収容したペットが動き回らないように、その姿勢を保持する手段と、上記容器内にオゾンのエアーシャワーを生じさせるオゾン発生器から成ることを特徴とする。また、上記容器が、ペット用ハウスであることを特徴とする。さらに、前記姿勢保持手段が、ハンモックであることを特徴とする。又更に、前記ハンモックにペットの脚を通す４個の脚穴が形成されていることを特徴とする。更に又、前記オゾン発生器にファンが設けられることを特徴とする。
【考案の効果】
【０００６】
本考案のオゾンによるペットのエアーシャワー洗浄装置は、ペットに着いた悪臭を除臭し、ノミ、シラミ、ダニなどの害虫を殺虫し、細菌などを殺菌して安全かつ確実に除去し、皮膚病などを予防することができる利点がある。
【考案を実施するための最良の形態】
【０００７】
図１は、本考案装置の１実施例を示す斜視図であって、１は洗浄するペットを収容する容器、２は、容器１内のペットの姿勢を保持する手段としてのハンモック、３は、容器１内にオゾンのエアーシャワーを生じさせるオゾン発生器である。
【０００８】
上記容器１は、容器本体１ａと容器蓋１ｂから成り、収容されたペットの頭が外部に露出するように、首穴が形成されている。該容器１としては、例えば、ペット用キャリーハウス等のペット用ハウスを使用するのが好ましいが、これに限定するものではない。また、容器本体１ａと容器蓋１ｂに分割して構成する必要はなく、ペットの出入りが可能で、頭が外部に露出する構成であれば、いずれの構成でも良い。
【０００９】
上記ハンモック２には、ペットの脚を通す４個の脚穴２ａが形成されていて、小型犬から中型犬まで保持可能なフリーサイズのものが好ましく、その取り付け位置としては、ペットの足が容器１の底に着かない高さが好ましい。上記ハンモック２には、必ずしも脚穴２ａを形成する必要はなく、主として、前脚と後脚の間の胸や腹などの胴部を保持するだけのハンモックでもよい。
本発明の姿勢保持手段としては、上記ハンモック２に限定するものではなく、容器１内に収容されたペットが暴れたり動き回わるのを防止できるものであれば、例えば、胴や胸回りを絞めるベルト等、いずれの構成でもよい。特に、ペットの頭部が容器１内に入らないようにする必要がある。
【００１０】
上記オゾン発生器３としては、放電法、電界法、紫外線ランプ法のいずれの方法でもオゾンガスを発生させる装置で良いが、小型で安価に提供できるものが好ましい。特に、高濃度のオゾンガスは毒性が強く、頭を露出させてもペットがオゾンガスを吸い込んで呼吸障害が生じたり、また、爆発や火災等の心配のある機器は注意する必要がある。
さらに、本オゾン発生器３に、エアーシャワーを生じさせるファン（図示せず）を具備させることにより、ペット全身にオゾンガスが効率よく行き亘る効果がある。
【００１１】
本実施例の洗浄装置は、以上のように構成されているので、図２に示すように、ハンモック２の４つの脚穴２ａにペットＰの４本の脚をそれぞれ差し入れて、ペットＰの足が容器１の底に着かないようにして、空中に乗せた状態で固定保持する。
【００１２】
続いて、上記オゾン発生器３を稼働させてオゾンガスを発生させる。発生したオゾンガスは、ファン等により容器１内を循環し、ペットＰの全身に行き亘る。オゾンガスにより、ペットＰの体に付いた体臭は除臭され、ノミ、シラミ、ダニ等は殺傷され、皮膚に付いた細菌は殺菌されて皮膚病が予防される。
【図面の簡単な説明】
【００１３】
【図１】本考案のオゾンによるペットのエアーシャワー洗浄装置の一実施例を示す斜視図である。
【図２】図１の装置による使用例を示す斜視図である。
【符号の説明】
【００１４】
１    容器
１ａ  容器本体
１ｂ  容器蓋
２    ハンモック
２ａ  脚穴
３    オゾン発生器
Ｐ    ペット
【図１】
0003130143.tif 000003
【図２】
0003130143.tif 000004
(57)【要約】  【課題】  他人の縄跳び具と容易に区別ができ、しかも使用後、小さく結束して携行することができる子供用縄跳び具を提供する。  【解決手段】  紐体１の左右両端に把手２を取り付けた縄跳び具において、前記紐体１の一方の把手２の近傍に結束帯３を固定し、この結束帯３に名前の記入欄４を設けると共に、結束用の止着具６を取り付けたことを特徴とする。【選択図】        図２
0003130149.tif 000002
【実用新案登録請求の範囲】
【請求項１】
紐体の左右両端に把手を取り付けた縄跳び具において、前記紐体の一方の把手の近傍に結束帯を固定し、この結束帯に名前の記入欄を設けると共に、結束用の止着具を取り付けたことを特徴とする子供用縄跳び具。
【考案の詳細な説明】
【技術分野】
【０００１】
本考案は、幼稚園、小学校等で使用する子供用縄跳び具に関するものである。
【背景技術】
【０００２】
子供が使用する縄跳び具は、殆ど同じものを使用しているため、他人のものとの区別が付かないとか紛失し易いという問題点があった。また使用後、この縄跳び具を携行する場合、子供は長い紐体を小さく結束することなく、カバンに押し込んでいた。そのため、カバン内が煩雑になるとか、教科書等を損傷することがあった。
【考案の開示】
【考案が解決しようとする課題】
【０００３】
本考案は、他人の縄跳び具と容易に区別ができ、しかも使用後、小さく結束して携行することができる子供用縄跳び具を提供しようとするものである。
【課題を解決するための手段】
【０００４】
上記の目的を達成するために、請求項１の考案は、紐体の左右両端に把手を取り付けた縄跳び具において、前記紐体の一方の把手の近傍に結束帯を固定し、この結束帯に名前の記入欄を設けると共に、結束用の止着具を取り付けたことを特徴としている。
【０００５】
上記請求項１の子供用縄跳び具は、使用後に長い紐体を幾重かに折り返し、この折り重なった紐体の外周に結束帯を巻き付け、止着具により結束帯の先端と基端に緩むことなく連結し、全体を小さくして携行する。また記入欄に所持者の学年とか名前を記入して他人のものと区別する。紐体における一方の把手の近傍に取り付けた結束帯を、縄跳び時に邪魔にならないように、止着具を用いて環状にして使用する。
【考案の効果】
【０００６】
本考案の請求項１の子供用縄跳び具は、幾重にも折り返した紐体の外周に結束帯を巻き付け、カバン等へ整然と収納することができるので、教科書等を汚したり破ったりすることがない。また結束帯に設けた記入欄に学年とか名前を記入することができるので、紛失することがなく、他人のものと容易に区別できる。また結束帯は止着具によりリング状にして小さくすることができると共に、一方の把手の近くに取り付けられているため、使用時に邪魔になることがない。
【考案を実施するための最良の形態】
【０００７】
以下、図１乃至図３を参照して、請求項１の考案の実施形態を詳述する。図１は子供用縄跳び具の一部切欠き斜視図であり、図２は同上要部の斜視図である。図３は同上子供用縄跳び具の結束状態を示す斜視図である。
【０００８】
図中の符号１は長い紐体であり、両端に把手２を設けている。３は一方の把手２から僅かに離れた位置の紐体１に、基端を縫着したナイロン製の結束帯であり、該結束帯３の先端には、学年及び名前の記入欄４を設けたレザー製の名札５を固定している。この名札５の裏面と結束帯３の基端表面には、テープファスナー製の止着具６を縫着している。
【０００９】
上記の実施形態にあっては、図３に示すように、紐体１を結束帯３の位置で束ねた後、その外周に結束帯３を巻き付け、止着具６により固定すれば、全体が小さく結束される。また縄跳びをするときは、図３に鎖線で示すように、結束帯３を環状にして使用する。更に名札５に名前を表示することにより、他人の物と区別ができ、紛失することもない。
【００１０】
上記実施形態は、結束帯３の先端に名札５を縫着したが、結束帯３の先端部に名前等の記入欄４を直接表示する場合もある。
【図面の簡単な説明】
【００１１】
【図１】本考案の実施形態を示す子供用縄跳び具の一部切欠き斜視図である。
【図２】同上子供用縄跳び具の要部を示す斜視図である。
【図３】同上子供用縄跳び具の結束状態を示す斜視図である。
【符号の説明】
【００１２】
１      紐  体
２      把  手
３      結束帯
４      記入欄
５      名  札
６      止着具
【図１】
0003130149.tif 000003
【図２】
0003130149.tif 000004
【図３】
0003130149.tif 000005
(57)【要約】【課題】  飼い主も参加することによりペットと共に楽しめるペット用遊戯具を実現する。【解決手段】  一端を紐体Ｓにより牽引可能な本体２と、互いに逆ピッチとなるプロペラ機能を有する少なくとも一対の回転体１０Ａ、１０Ｂを有し、上記回転体を互いの間隔をあけて回転自在に本体に軸支することにより、本体が紐体により牽引されて空中を振り回された際の空気抵抗により回転させる。【選択図】      図１
0003130142.tif 000002
【実用新案登録請求の範囲】
【請求項１】
一端を紐体により牽引可能な本体と、互いに逆ピッチとなるプロペラ機能を有する少なくとも一対の回転体からなり、上記回転体は互いの間隔をあけて回転自在に本体に軸支されることにより、本体が紐体により牽引されて空中を振り回された際の空気抵抗により互いに逆方向に回転可能となることを特徴とするペット用遊戯具。
【請求項２】
本体の形状を昆虫の胴体、回転体の形状を昆虫の羽に見立てて構成した請求項１記載のペット用遊戯具。
【請求項３】
本体の形状をトンボの胴体、回転体の形状をトンボの羽に見立てて構成した請求項２記載のペット用遊戯具。
【請求項４】
本体の形状を鳥の胴体、回転体の形状を鳥の羽に見立てて構成した請求項１記載のペット用遊戯具。
【考案の詳細な説明】
【技術分野】
【０００１】
この考案は飼い主も参加することによりペットと共に楽しめるペット用遊戯具に関する。
【背景技術】
【０００２】
猫や犬などのペットがものにじゃれつく習性に着目して、ボールや人形などを遊戯具として与えることが古くから行われている。
【０００３】
しかしながら、これらの遊戯具は本来静止しているものであり、ペットがじゃれつかない限り動きを生ぜずペットの興味を積極的に惹起する機能はなかった。さらに、遊戯はもっぱらペットと遊戯具間で行われ、飼い主が参加する要素はないので、ペットと共に遊びたいという飼い主の要求を満たすことはできなかった。
【０００４】
そこで、鳥の羽に似せたプロペラを鳥の頭部と尾部に似せた本体に回転自在に軸支し、テグスによりこれらを引っ張って振り回すことにより空気抵抗によりプロペラを回転させて実際の鳥のように見せかけるペット用の遊戯具が本願考案者により提案されていた。
【０００５】
【特許文献１】特開平４−１７３０３５号公報
【考案の開示】
【考案が解決しようとする課題】
【０００６】
上記の遊戯具は動きを生じるので、ペットの興味を積極的に惹起し、更に飼い主が参加して遊べるので飼い主も共に楽しむことできる優れた考案である。
【０００７】
しかしながら、空気抵抗によりプロペラを回転させることにより動きを生じさせているので、プロペラの回転トルクが摩擦力により本体に伝わって本体が回転しようとして時としてテグスが捩じれて絡まる恐れがあった。また、単にプロペラが回転するだけなので、もう少し複雑な作用が望まれていた。
【課題を解決するための手段】
【０００８】
この考案は以上の問題点を解消したペット用遊戯具を提供することを目的として創作されたものであり、一端を紐体により牽引可能な本体と、互いに逆ピッチとなるプロペラ機能を有する少なくとも一対の回転体からなり、上記回転体は互いの間隔をあけて回転自在に本体に軸支されることにより、本体が紐体により牽引されて空中を振り回された際の空気抵抗により互いに逆方向に回転可能となることを特徴とする。
【考案の効果】
【０００９】
この考案によれば、紐体により遊戯具を牽引して振り回すことにより、空気抵抗により回転体が回転することは前記の従来技術の遊戯具と同様である。しかしながら、回転体は互いに逆ピッチとなるプロペラ機能を有するものが一対組み合わされるので、これらが逆方向に回転することとなって互いの回転トルクが打ち消しあい、本体がつられて回転することにより紐体が捩れることがない。
【００１０】
また、一対の回転体が互いに逆方向に回転することにより空気の干渉により生き物のような独特の「羽音」を生じせしめ、ペットの興味を惹く効果を奏する。
【００１１】
さらに、一対の回転体が互いに逆方向に回転するので外観的にも単調でなく、ペットの興味を惹く効果を奏する。
【考案を実施するための最良の形態】
【００１２】
以下、この考案のペット用遊戯具の具体的実施例を添付図面に基づいて説明する。図１及び図２は遊戯具を示す図である。この遊戯具１は棒状の本体２に一対の回転体１０Ａ、１０Ｂを回転自在に軸支した基本構成を有する。回転体１０Ａ、１０Ｂは互いに逆ピッチとなるプロペラ状に構成されるものであり、この実施例においては上記の本体２に回転自在に外挿されるボス１１Ａ（Ｂ）に２枚の羽体１２Ａ（Ｂ）を突設した構成からなるが、羽体の数は２枚に限られないことは勿論であり、また、一つの遊戯具１に複数対の回転体を設けてもよい。
【００１３】
図中符号６、７は上記の回転体１０Ａの軸方向の移動を規制するために本体２に突設されるストッパー、同じく８、９は回転体１０Ｂの軸方向の移動を規制するために本体２に突設されるストッパーである。このうち、前方の回転体１０Ａの後部に配されるストッパー６は後方の回転体１０Ｂとの間に間隔を開けるために必須のものとなるが、その他のストッパーは省略してもよい。その他のストッパーを省略した場合は後記する本体２の尾部のフック４の基部が後方の回転体１０Ｂの抜け止めの機能を果たすことになる。
【００１４】
この実施例においては、以上の遊戯具は本体２をトンボの胴体、回転体１０Ａ、１０Ｂを同じく羽に見立ててデザインしており、本体２にはトンボの眼に見立てた頭部３が設けられ、ここに紐体Ｓが結ばれる。また、本体２の尾部には飾り紐５を結ぶためのフック４が設けられる。
【００１５】
以上の遊戯具１はこの実施例においてはプラスチックにより構成しているが、素材はそれに限られないことは勿論である。また、遊戯具は他の昆虫や鳥、あるいはその他のものに見立ててもよいことは勿論である。
【００１６】
図３はこの考案の遊戯具１の使用方法を示す図である。図中符号Ｒは柔軟性を有する竿体であり、この竿体と遊戯具１を紐体（ここではテグスを使用）Ｓで連結する。そして、飼い主が竿体Ｒを振ることにより遊戯具１を引っ張り、引っ張られた遊戯具は羽音をたてながら回転体が回転することにより生き物のような動きを呈し、例えば猫などのペットがそれを捕獲しようと動き回ることとなる。
【図面の簡単な説明】
【００１７】
【図１】この考案の遊戯具の斜視図。
【図２】同上、正面図。
【図３】同上、使用状態を示す斜視図。
【符号の説明】
【００１８】
１            遊戯具
２            本体
１０Ａ        回転体
１０Ｂ        回転体
Ｓ            紐体
Ｒ            竿体
【図１】
0003130142.tif 000003
【図２】
0003130142.tif 000004
【図３】
0003130142.tif 000005
(57)【要約】【課題】  身体に負担を掛けることなく爪切り具が容易に足先まで届き、一人でも爪切り操作が迅速且つ安全に行える操作補助具を提供する。【解決手段】  爪切り具の梃子板の押圧端部と刃板の後端部の両端部に於いて、該両端部の外側に鍛冶屋はしの挟持部を夫々れ嵌合させたのち、刃板の後端部は挟持部にボルトネジで止着し、他方梃子板の側押圧端部は挟持部内側を摺動可能となし、鍛冶屋はしの把持柄の開閉動作により挟持部と連動する爪切り具の刃板を押圧操作させて使用することを特徴とする。【選択図】      図１
0003130670.tif 000002
【実用新案登録請求の範囲】
【請求項１】
爪切り具の梃子板の押圧端部と刃板の後端部の両端部に於いて、該両端部の外側に鍛冶屋はしの挟持部を夫々れ嵌合させたのち、刃板の後端部は挟持部へボルトネジで止着し、他方梃子板の側押圧端部は挟持部内側を摺動可能とし、鍛冶屋はしの把持柄の開閉動作により挟持部と連動する爪切り具の刃板を押圧操作させて使用することを特徴とした爪切り操作補助具。
【請求項２】
挟持部の両先端は、夫々れＵ字状の嵌体となしたことを特徴とする請求項１記載の爪切り操作補助具。
【請求項３】
梃子板側の挟持部脚体は、外側に湾曲した形状となしてあることを特徴とする請求項１又は２記載の爪切り操作補助具。
【請求項４】
鍛冶屋はしの把持柄は、その長さ寸法を凡そ３０ｃｍ〜５０ｃｍとなしたことを特徴とする請求項１，２又は３記載の爪切り操作補助具。
【考案の詳細な説明】
【技術分野】
【０００１】
本考案は、爪切りのさい使用する操作補助具に関する。
【背景技術】
【０００２】
従来、一般に使用されている爪切り具は２枚の刃体と梃子板の構成からなり、梃子板側の把持柄を手指で押圧させて爪切り操作が行われている。また、怪我や身体の障害者、指先に力のない高齢者等が爪を切るさいに使用する操作補助具として、例えば特許文献１や特許文献２などのものがある。
【特許文献１】特開２００１−２９９４３６
【特許文献２】特開平９−２９９１３５号
【考案の開示】
【考案が解決しようとする課題】
【０００３】
上記の操作補助具は、主に手指の爪を切るさいに使用されるものである。一方、足指の爪を切るさい通常は爪切り具を手に持ち、上体を前屈みにした状態で爪切り操作をしなければならず、このため身体に柔軟性のない者や前屈動作がしづらい身体障害者等では自分で行うことが非常に困難であり、他人に依頼して行わなければならないという問題がある。
【０００４】
本考案は上記問題点を解決せんとするもので、身体に負担を掛けることなく爪切り具が足先まで届き、一人で爪切り操作が迅速且つ簡易に行える操作補助具を提供することにある。
【課題を解決するための手段】
【０００５】
本考案は、爪切り具の梃子板の押圧端部と刃板の後端部の両端部に於いて、該両端部の外側に鍛冶屋はしの挟持部を夫々れ嵌合させたのち、刃板の後端部は挟持部へボルトネジで止着し、他方梃子板の側押圧端部は挟持部内側を摺動可能とし、鍛冶屋はしの把持柄の開閉動作により挟持部と連動する爪切り具の刃板を押圧操作させて使用することを特徴とする。
【０００６】
このさい、挟持部の両先端を夫々れＵ字状の嵌体となしたり、梃子板側の挟持部脚体は外側に湾曲した形状としたり、また把持柄の長さ寸法を凡そ３０ｃｍ〜５０ｃｍとなしたりするのである。
【考案の効果】
【０００７】
本考案は、上記各請求項に記載した如く構成するのであって、足指の爪を切るさい、柔軟性のない者や前屈動作がしづらい身体障害者等でも足指まで爪切り具が届くようになり、身体に負担を掛けたり、他人に依頼したりすることなく使用でき簡便で且つ安全に爪切り操作が行えるものとなるのである。
【０００８】
また、鍛冶屋はしの挟持部を夫々れＵ字状の嵌体となしたことにより、通常使用されている爪切り具の交換が容易に行え操作の向上に寄与するものとなるのである。
【考案を実施するための最良の形態】
【０００９】
本考案の実施の形態について、以下に図面でもって説明する。
図１は本考案に係る爪切り操作補助具１の斜視図である。この図に於いて１ａ，１ａ’は操作補助具１の挟持部、１ｂ，１ｂ’は把持柄であり、該把持柄の長さ寸法は凡そ３０ｃｍ〜５０ｃｍとなされる。２は一般的に使用される梃子の原理を利用した爪切り具であって、２ａは梃子板、２ｂは刃板である。
【００１０】
図２は本考案に係る爪切り操作補助具１の挟持部１ａ，１ａ’の詳細図である。ここで、１ｃ，１ｃ’は嵌体であり、挟持部１ａ，１ａ’の先端をＵ字状に形成したものである。また挟持部１ａの脚体は外側に湾曲させた形状させたものとする。Ｏ’は挟持部１ａ’の脚体に設けた透孔であり、ｍ，ｎはボルトナットである。
【００１１】
図３は本考案に係る爪切り具２を操作補助具１に取付けるさいの状態図である。梃子板２ａの後端部と刃板２ｂの後端部を図３に示すように操作補助具１の嵌体１ｃ，１ｃ’の内側に夫々れ嵌合させる。このさい、刃体２ｂはその後端に設けた透孔Ｏと挟持部１ａ’側の脚体に設けた透孔Ｏ’とを重ね合わせた状態でネジボルトｍ，ｎを挿入し螺合止着させるのである。また、一方の梃子板２ａは、嵌体１ｃ内を摺動可能となすように取付けるものとする。これは、図１に示したように挟持部１ａの脚体を外側に湾曲させた形状となすことで、その動作がスムーズに行えるのである。
【００１２】
図４は本考案に係る操作補助具１の使用状態図であって、図４に示すように操作補助具１の把持柄１ｂ，１ｂ’を開閉動作させることにより、挟持部１ａに連結された梃子板２ａを押圧させて爪切り操作を行うのである。
【００１３】
本考案は上記構成となすものであり、爪切り具２の交換のさいはボルトネジｍ，ｎを外して行うのであり、新品との取換え作業も簡便且つ迅速に行うことが可能となるのである。
【図面の簡単な説明】
【００１４】
【図１】本考案に係る爪切り操作補助具の斜視図である。
【図２】本考案に係る爪切り操作補助具の挟持部の詳細図である。
【図３】本考案に係る爪切り具を操作補助具に取付けるさいの状態図である。
【図４】本考案に係る爪切り操作補助具の使用状態図である。
【符号の説明】
【００１５】
１      操作補助具
１ａ，１ａ’    挟持部
１ｂ，１ｂ’    把持柄
１ｃ，１ｃ’    嵌体
２      爪切り具
２ａ    梃子板
２ｂ    刃板
ｍ，ｎ      ボルトネジ
【図１】
0003130670.tif 000003
【図２】
0003130670.tif 000004
【図３】
0003130670.tif 000005
【図４】
0003130670.tif 000006
(57)【要約】      （修正有）【課題】使いやすく、安価な携帯用洗浄器を提供する。【解決手段】洗浄液噴出ノズル部１と、この洗浄液噴出ノズル部の下端に着脱可能に取り付けた洗浄液タンク部２とよりなり、前記洗浄液噴出ノズル部は、その上方に適数個の洗浄液噴出口５が配置されたノズルと、一端が前記ノズル内に他端が前記洗浄液タンク部の下方に開口する洗浄液送給管１０と、同洗浄液送給管に設けた逆止弁と、外部に連通し前記洗浄液タンク部内に開口する空気吸込み管と、同空気吸込み管に設けた逆止弁とを具えているとともに、前記空気吸込み管の外部開口部は下向きに傾斜してなる携帯用洗浄器である。【選択図】図１
0003130611.tif 000002
【実用新案登録請求の範囲】
【請求項１】
洗浄液噴出ノズル部と、この洗浄液噴出ノズル部の下端に着脱可能に取り付けた洗浄液タンク部とよりなり、前記洗浄液噴出ノズル部は、その上方に適数個の洗浄液噴出口が配置されたノズルと、一端が前記ノズル内に他端が前記洗浄液タンク部の下方に開口する洗浄液送給管と、同洗浄液送給管に設けた逆止弁と、外部に連通し前記洗浄液タンク部内に開口する空気吸込み管と、同空気吸込み管に設けた逆止弁とを具えているとともに、前記空気吸込み管の外部開口部は下向きに傾斜していることを特徴とする携帯用洗浄器。
【考案の詳細な説明】
【技術分野】
【０００１】  本考案は、携帯用の女性用局部洗浄器に関するものである。
【背景技術】
【０００２】  携帯用洗浄器は、外出先にも手軽に携帯し、局部を洗浄できるので、女性にとって待ち望んだものである。従来、この種の携帯用洗浄器としては、必要時に組み立てて使用する方式のものがある（特許文献１参照）が、構造が複雑で部品点数が多く組み立てが煩雑であるとともに製造費用が嵩む等の不便があった。
【特許文献１】実願２００４−７１１７
【考案の開示】
【考案が解決しようとする課題】
【０００３】  今までの携帯用洗浄器では、予め洗浄液を内部に入れておく形式であるので重く、洗浄液がこぼれてしまう事もある。また、携帯時にバッグの中に洗浄液が漏れてしまうおそれがある。また、デザインにしてもノズル部分に凹凸があったり全体形状が大型すぎたりで、使用しにくく、特に、はじめて使用する人の場合には抵抗感が大きく使いづらいものであった。さらにまた、予め洗浄液を充填した使い捨て方式のものは極めて不経済であった。
【課題を解決するための手段】
【０００４】  本考案は、上記のような従来のものの欠点を解消して使いやすく、安価な携帯用洗浄器を提供するものである。【０００５】  すなわち、本考案は、洗浄液噴出ノズル部と、この洗浄液噴出ノズル部の下端に着脱可能に取り付けた洗浄液タンク部とよりなり、前記洗浄液噴出ノズル部は、その上方に適数個の洗浄液噴出口が配置されたノズルと、一端が前記ノズル内に他端が前記洗浄液タンク部の下方に開口する洗浄液送給管と、同洗浄液送給管に設けた逆止弁と、外部に連通し前記洗浄液タンク部内に開口する空気吸込み管と、同空気吸込み管に設けた逆止弁とを具えているとともに、前記空気吸込み管の外部開口部は下向きに傾斜していることを特徴とする携帯用洗浄器である。
【考案の効果】
【０００６】  本考案の携帯用洗浄器によれば、手軽に携帯できて簡単に組立てができ、どこでもいつでも容易に使用できるものである。また、使い捨てではないので経済的であり、デザイン的にもすっきりしているので、初めて使用する人にとっても抵抗感なく使用できるものである。【０００７】  さらにまた、空気吸込み管の外部開口部を下向きに形成したので、洗浄液を再度吸入することが少ない。
【考案を実施するための最良の形態】
【０００８】  本考案携帯用洗浄器の実施例を図１、図２によって説明する。
図１は、本考案装置の全体側面図、図２は図１のＡ−Ａ線で切断したときの要部拡大断面図である。
１は洗浄液噴出ノズル部で、この洗浄液噴出ノズル部１の下端に洗浄液タンク部２がねじ３で着脱可能に取り付けられている。洗浄液タンク部２はＥＶＡ樹脂等で作られており側壁を押圧すると変形し、離すと自動的に復元する弾力性を有する。また、洗浄液噴出ノズル部１の先端部分には表面が滑らかなノズル４が形成され適数個の洗浄液噴出孔５が形成されている。洗浄液噴出孔５の噴出方向は全周方向にわたっているのが好ましい。６は洗浄液タンク部２の洗浄液をノズル４に送り出すための送給管でその中間部には逆止弁７が取り付けられている。８はタンク部２内に外気を取入れるための空気吸込み管でその外部開口部９はａだけ下向きに形成されている。１０は逆止弁である。【０００９】  このような携帯用洗浄器を使用するときには、まず洗浄液例えば水を近くの水道管から洗浄液タンク部２に貯留する。つぎに洗浄液タンク部２と洗浄液ノズル部１をねじ３で螺合させる。そこで、洗浄液タンク部２を指等で押圧すると、逆止弁１０は閉じ、逆止弁７が開いて洗浄液は送給管６を通りノズル４に送られる。そして洗浄液は洗浄液噴出孔５から噴出して局部の洗浄を行う。
ついで、洗浄液タンク部２への押圧を緩めると、ＥＶＡ樹脂の復元力により洗浄液タンク部２は負圧となるので、逆止弁７が閉じ、逆止弁１０が開いて外気を空気吸込み管８を通じて洗浄液タンク部２に取込み洗浄液タンク部２内を通常の気圧に戻す。この動作を間欠的に繰り返して局部を洗浄するのである。【００１０】  なお、空気吸込み管８の開口部９を下向きに形成したのは、噴出孔５より局部内に噴出した洗浄液がノズル４の外部を伝って流れでたときにも、なるべく空気吸込み管８から洗浄液を吸込まないように工夫したものである。また、図２に示すようにこのような空気吸込み管８を複数個設けておくことによりそれらの支障は防止できる。逆に空気吸込み管８は１個だけ設けても機能する。さらに洗浄液噴出ノズル部１と洗浄液タンク部２とは両者をねじ３で螺合して結合するものについて説明したが、この例にとらわれずパック式やノッチ式など液密状態に着脱できるものであればどのような結合手段でも構わない。【００１１】  この考案の携帯用洗浄器によれば、携帯時に洗浄液を持ち歩く必要がないので重くなく液漏れの心配もない。また、ボトルの復元力が早いので洗浄液が少なくなっても噴出力が変わらず洗浄力がよい。さらに、噴出孔の工夫により少ない液量でもきれいに洗浄できる。さらにまた、空気吸込み管８の開口部９を下向きに形成したので、洗浄液を再度吸入することが少ない。洗浄液タンク部２がＥＶＡ樹脂等で作られているのでタンク部２は図１に示す単純ひょうたん型のみならず、動物、植物、果物、人物、キャラクターなどいろんな形や色彩を採用することができ、かわいさを前面に出し暗いイメージを払拭して持ち歩きを楽しいものにさえできる。
【図面の簡単な説明】
【００１２】
【図１】本考案装置の全体側面図、
【図２】図１のＡ−Ａ線で切断したときの要部拡大断面図である。
【符号の説明】
【００１３】  １    洗浄液噴出ノズル部
２    洗浄液タンク部
３    ねじ
４    ノズル
５    洗浄液噴出孔
６    送給管
７    逆止弁
８    空気吸込み管
９    開口部
１０  逆止弁
【図１】
0003130611.tif 000003
【図２】
0003130611.tif 000004
(57)【要約】【課題】従来のものは平らなカバーで雨樋の縁より内側にやや下がった所に取り付けられ、また、カバー固定金具が突出しているため雨樋に落ちた落ち葉等は雨樋の外に容易に落下する事なく、完全に排出しきれず、雨樋カバーとしての機能を十分に発揮できない。そのうえ、取り付けも簡単にできない。本考案は雨樋カバー上に落ち葉等が滞留せず、取り付けも簡単にできるようにした。【解決手段】  合成樹脂等の湾曲可能な網目状カバー本体１と一体構成した差し込み式フック２を雨樋側面端部６にはめ込み固定する。その際、網目状カバー本体１は上部に湾曲して取り付けられ、突出部も無いので網目状カバー本体１の上に落ちた落ち葉等は自然落下し滞留しない。網目状カバー本体１の幅が雨樋の幅より広いため、湾曲が変わるが既存のサイズの異なる雨樋に装着しても同様の効果がある。【選択図】図１
0003130613.tif 000002
【実用新案登録請求の範囲】
【請求項１】
合成樹脂等の湾曲可能な材質による長方形の網目状平面体であって、短辺は雨樋の幅より広く、両長辺は端面に沿って強度保持のため細い板状部４をなし、そこに雨樋側面端部６の形状に合わせた半円形の差し込み式フック２と半円に対向する固定用突起３の付いた保持具をある間隔をもって、複数個一体成型又は取り付けた雨樋カバーである。
【考案の詳細な説明】
【考案の詳細な説明】
【技術分野】
【０００１】  本考案は雨樋の詰まりの原因となる落ち葉等が雨樋内に入ることを防止するため、簡単に装着できる差し込み式フックと固定用突起の付いた、上部に湾曲する網目状カバーで、湾曲を変えることにより既存のサイズの異なる雨樋にも使用可能となる。
【背景技術】
【０００２】  従来のものは雨樋のサイズにより固定金具やカバーの幅を変えねばならず、また、雨樋にカバー止め金具を固定した後カバーを固定するもので、カバーの位置は雨樋の縁より内側にやや下がった所に水平に取り付けるものや、紐等で雨樋に水平に固定するものである。
【考案が解決しようとする課題】
【０００３】  従来のものは平らなカバーで、固定金具やカバー止め金具が突出しているため、雨樋に落ちた落ち葉等は雨樋の外に容易に落下する事なく、完全に排出しきれず、雨樋カバーとしての機能を十分に発揮できず、取り付けも簡単ではなく、雨樋のサイズにより固定金具やカバーのサイズを変えねばならないという難点があった。
【課題を解決するための手段】
【０００４】  合成樹脂等の湾曲可能な材質による長方形の網目状カバーで短辺は雨樋の幅より広く、両長辺は端面に沿って強度保持のため細い板状部をなし、そこに雨樋側面端部の形状に合わせた半円形の差し込み式フックと、半円に対向する固定用突起の付いた保持具をある間隔をもって複数個一体成型又は取り付けた網目状カバーで、短辺は雨樋の幅より広くしてあるので上部に湾曲して取り付けられ、また、突出部も無いので網目状カバーの上に落ちた落ち葉等は自然落下し滞留しない。
網目状カバーの幅が雨樋の幅より広いため、湾曲を変えることにより既存のサイズの異なる雨樋にも使用可能となる。
【０００５】  網目状カバーの両長辺の端面に沿った強度保持のための板状部は固定用突起と同様の形態で全辺に実施し、固定用突起とすることもできる。
【０００６】  差し込み式フックと固定用突起は両長辺の対向面になくともよい。
【考案を実施するための最良の形態】
【０００７】  以下、本考案の実施の形態について図面を参照して説明する。
網目状カバー本体１は例えば塩化ビニール樹脂のような湾曲可能なものを用い、押し出し成型加工により長方形平面網目状になされている。さらに詳しくは短辺は雨樋の幅より２０〜３０ｍｍ程度広く、両長辺は端面に沿って強度保持のため細い板状部４をなし、そこに雨樋側面端部６の形状に合わせた半円形の差し込み式フック２と半円に対向する固定用突起３の付いた保持具をある間隔をもって複数個を一体成型又は取り付けたものである。【０００８】  雨樋に取り付けにあたっては長辺の片側にある差し込み式フックと固定用突起を雨樋側面端部にはめ込む。片側全部をはめ込んだら、もう片側の差し込み式フックと固定用突起を雨樋側面端部にはめ込む。その際、雨樋の幅より網目状カバーの幅が広いため上部に湾曲して取り付けられる。
【考案の効果】
【０００９】  本考案は、上述の通り構成されているので、次に記載する効果を有する。
【００１０】  網目状カバー本体の幅は既製品の雨樋の幅よりも大きいため、取り付けたとき上部に湾曲し、突出部も無く、これによりカバー上に落ちた落ち葉等は風などにより自然に落下し雨樋上には全く残留せず、常に雨樋が詰まることなく雨水を雨樋に受けることができる。
【００１１】  差し込み式固定フックを網目状カバー本体と一体構成する事により雨樋に簡単に装着、固定することができる。
【００１２】  雨樋に取り付ける際、既存のサイズの異なる雨樋であっても雨樋の幅により湾曲が変わるが、カバーとしての効果は変わらず使用可能である。
【図面の簡単な説明】
【図１】  本考案の斜視図である。
【図２】  本考案の使用状態を示す断面図である。
【符号の説明】
１  網目状カバー本体
２  差し込み式フック
３  固定用突起
４  板状部
５  雨樋本体
６  雨樋側面端部
【図１】
0003130613.tif 000003
【図２】
0003130613.tif 000004
(57)【要約】      （修正有）【課題】一般の紐等で物品、植物、樹木等を縛ったり支持する際、また撤去する際も労力とわずらわしさを軽減できる。【解決手段】二本の紐の間をある一定の間隔に、別の紐で連絡した、網状からなり、ごく簡単な引っ掛け金具等を使用して素早く操作でき、あらゆる大きさ長さに対応し、幅広い用途に使用できる撤去も簡単で、再利用も可能な軽量で安価な網状紐。【選択図】図２
0003130615.tif 000002
【実用新案登録請求の範囲】
【請求項１】
二本の紐の間をある一定の間隔に、別の紐で連絡した、網状からなり、ごく簡単な引っ掛け金具等を使用して素早く操作でき、あらゆる大きさ長さに対応し、幅広い用途に使用できる撤去も簡単で、再利用も可能な軽量で安価な網状紐。
【考案の詳細な説明】
【技術分野】
【０００１】  本考案は幅広い用途で簡単に手早く利用できる網状紐の考案に関する。
【背景技術】
【０００２】  一般の紐は単線の形態である。ある物品を縛る際、紐の両端を結んだり特殊工具を使用しているが、いずれもわずらわしさが伴う。また、撤去等にも時間、労力を要す。
野菜、花木の倒れ防止をする際、杭を立て植物を抱えて杭に結んだり、数本の杭を使用する時も紐がずり落ちないよう、それぞれの杭に硬く結んでいる。
また撤去も紐を解くのに大変な労力を費やしている。
伐採した草木の束ねも縛るのに苦慮している。
庭木の支え、枝の矯正、雪からの枝折れ防止もロープ張りが大変な作業である。
駐車場、私有地等進入禁止などにロープ、鎖等使用しているが、長さ調節が面倒だったり、重量があったり煩わしい。
キャンプなどでテントの支柱を固定する際ロープを使用しているが長さ等調節に労力を使っていた。
【考案の開示】
【考案が解決しようとする課題】
【０００３】  簡単に手早く確実に設置でき、長さ変更も安易にでき、なお撤去も簡単で再利用が可能なこと、安価、軽量である紐を開発する。
【課題を解決するための手段】
【０００４】  一般的な一本の紐に比べ、簡単に手早く確実に設置ができ、撤去も簡単で再利用も十分可能な網状の紐を考案した。
【考案の効果】
【０００５】  ある物品を縛る際、紐の両端を結んだり特殊工具を使用するわずらわしさが無く操作、設定が簡単に短時間で確実にでき、なお撤去も簡単で再利用が何度も可能である。
長さ、高さ等大小にかかわらず対応可能である。
軽量、安価である
野菜、花木の倒れ防止をする際、簡単な引っ掛け金具の付いた杭を使用すると、簡単に倒れ防止をすることができる。
【考案を実施するための最良の形態】
【０００６】  対象となる物品の形状、重さ等に対応する長さ、太さ、強さ等数種類作成する。
【実施例】
【０００７】  １は網状の図１  に示すように二本の紐を別の紐で連結した隙間の空いた紐である。
図２に示すように植物の倒れ防止用として、２の支柱に付いている３の引っ掛け金具に１の網状紐の適当な一こまを通し込んで固定する。
高さ、長さ、支える強さも自由に変更可能である。
トウモロコシ、トマト、ナス、ピーマン、大豆、そら豆、オクラ、アスパラ、エンドウ、その他、又花木類の倒れ防止として利用する。
図３は物品の荷作り等に図４の５の金具の両端を１の網状紐のそれぞれ一こまに差し込んで簡単に梱包、包装ができる様子を示したもの。
撤去も簡単に取り外しができ、再利用も充分可能である。
図５はテントやタープの支柱を固定する際、支柱の先端に１の網状紐の一端の一こまを通して、反対の一端はペグに差し込んで支柱を固定する。長さ、強さ等自由に調整できる。
伐採した草木の束ねも図３と同様な方法で利用が可能である。
庭木の枝の支え、矯正、雪からの枝折れ防止にも図５を応用した方法で利用可能である。
駐車場、私有地等進入禁止等にも１の網状紐を支柱などに引っ掛けるだけで簡単に設置可能。
【図面の簡単な説明】
【０００８】
【図１】  本考案の斜視図
【図２】  野菜、花木倒れ防止に使用した例
【図３】  物品等荷作り、梱包に使用した例
【図４】  荷作り、梱包用引っ掛け金具
【図５】  テント張り等に利用した例
【符号の説明】
【０００９】  １    網状紐
２    支柱
３    支柱引っ掛け金具
４    野菜、花木
５    引っ掛け金具
６    テント（タープ）
７    テント支柱
８    杭
【図１】
0003130615.tif 000003
【図２】
0003130615.tif 000004
【図３】
0003130615.tif 000005
【図４】
0003130615.tif 000006
【図５】
0003130615.tif 000007